(57)【要約】【課題】飼い主にも、ペットにも快適に使用可能なペット用木製ベッドを提供する。【解決手段】ペットの体重を支える床部と、その周囲に設けられた枠部とを有し、床部と枠部がともに木材によって形成されたベッド本体を備えたペット用木製ベッドについて、上記床部上に敷く敷板２１を備え、敷板はその中央部にて２分割して分割線部分にて折り曲げ可能にヒンジ結合構造とし、ベッド本体の床部に間隔をあけて取り付けた２個の部材１３、１４に、逆Ｖ字状に折り曲げた敷板の両端を掛け止められるようにする。また、ベッド本体１１の背面側の下部に位置する車輪２７を具備し、上記車輪はベッド本体の下端よりも上位に位置して、通常使用状態では実質的に接地せず、ベッド本体の正面部を持ち上げたときに接地して回転可能とする。【選択図】          図１
0003136315.tif 000002
【実用新案登録請求の範囲】
【請求項１】
ペットの体重を支える床部と、その周囲に設けられた枠部とを有し、床部と枠部がともに木材によって形成されたベッド本体を備えたペット用木製ベッドであって、
ベッド本体の床部上に敷く敷板を備え、上記敷板はその中央部にて２分割するとともに、分割線部分にて折り曲げ可能にヒンジにより結合した構造を有し、
ベッド本体の床部に間隔をあけて取り付けられている２個の部材に、逆Ｖ字状に折り曲げた敷板の両端を掛け止め、クッション、布団類を掛けて干せるように構成されたペット用木製ベッド。
【請求項２】
ベッド本体及び敷板はともに檜材からなる請求項１記載のペット用木製ベッド。
【請求項３】
ペットの体重を支える床部と、その周囲に設けられた枠部とを有し、床部と枠部がともに木材によって形成されたベッド本体を備えたペット用木製ベッドであって、
ベッド本体は枠部を設けていない正面部に対して背面側の下部に位置する車輪を具備し、上記車輪はベッド本体の下端よりも上位に位置して、通常使用状態では実質的に接地せず、ベッド本体の正面部を持ち上げたときに接地して回転可能になるように、ベッド本体背面下部から露出する位置に配置されているペット用木製ベッド。
【考案の詳細な説明】
【技術分野】
【０００１】
本考案は、ペットの体重を支える床部と、その周囲に設けられた枠部とを有し、床部と枠部がともに木材によって形成されたベッド本体を備えたペット用木製ベッドに関するものである。
【背景技術】
【０００２】
例えば、ペット対応型マンションの増加により、室内で犬、猫などのペットを飼育するケースが増加の傾向にある。その場合、ペットを飼う場所が問題になり、従来はペット用クッションや布団を室内の定位置に置くことが多いけれども、専用の座を使用することも行なわれており、ペット用品にもそのためのものがある。
【０００３】
登録実用新案第３０１９６８２号は樹脂成型品篭等から成るベッド基体に、そのベッド面を覆う大きさ、形状のマットを組み合わせたペット用ベッド、特開２０００−５０７５７号は立方体状に構成され、側面板に開口部を有しているベッドの重合している周面板を動かして箱状からソファ状に形態変化させるペット用ベッドを提案している。これらは容器型で閉鎖的構造を有しているため、衛生面の問題を生じる恐れがある。
【０００４】
特開２００５−１６８３８８号は衛生的な状態で、年間を通じて快適に使用することができるペット用ベッドを提案している。しかしその構成はペットが乗る床面板状部材と、ペットの周囲を囲む柵体を備え、床面板状部材と柵体を離間可能に結合することにより清掃を容易にすることができるが、それ以上のものではない。
【０００５】
【特許文献１】登録実用新案第３０１９６８２号
【特許文献２】特開２０００−５０７５７号
【特許文献３】特開２００５−１６８３８８号
【考案の開示】
【考案が解決しようとする課題】
【０００６】
本考案は前記の点に着目してなされたものであり、その課題は、飼い主にとっても、ペットにとっても快適に使用可能なペット用木製ベッドを提供することである。また、本考案の他の課題は、移動が容易であり、ペットが使用しているクッション、布団類を掛けて干すことができる、衛生的なペット用木製ベッドを提供することである。
【課題を解決するための手段】
【０００７】
前記の課題を解決するため、本考案は、ペットの体重を支える床部と、その周囲に設けられた枠部とを有し、床部と枠部がともに木材によって形成されたベッド本体を備えたペット用木製ベッドについて、ベッド本体の床部上に敷く敷板を備え、上記敷板はその中央部にて２分割するとともに、分割線部分にて折り曲げ可能にヒンジにより結合した構造を有し、ベッド本体の床部に間隔をあけて取り付けられている２個の部材に、逆Ｖ字状に折り曲げた敷板の両端を掛け止め、クッション、布団類を掛けて干せるようにするという手段を講じたものである（請求項１記載の考案）。
【０００８】
本考案の対象となるペット用木製ベッドは、ペットの体重を支える床部と、その周囲に設けられた枠部とを有しており、これらはともに木材によって形成されたベッド本体を構成している。天然の木材を使用することにより、化学薬品などに基づく弊害がないから飼い主及びペットの双方にとって安全である。また、檜材を使用することにより、ペットの健康を害するダニやノミの忌避効果が期待される（請求項２記載の考案）。
【０００９】
本考案のものはベッド本体の床部上に敷く敷板を備え、上記敷板はその中央部にて２分割するとともに、分割線部分にて折り曲げ可能にヒンジにより結合した構造を有する。そして、ベッド本体の床部に間隔をあけて取り付けられている２個の部材に、逆Ｖ字状に折り曲げた敷板の両端を掛け止められるようにする。このように、ヒンジ結合により敷板を折り曲げることで、敷板を逆Ｖ字状の布団干しとして使用することが可能になるので、ペットが使用して湿りがちなクッション、布団類を、室内において随時干し、乾燥させることができる。特に本考案の場合、敷板をすの子状構造とし、通気性向上を図っているので衛生的に優れている。
【００１０】
また、本考案は、ペットの体重を支える床部と、その周囲に設けられた枠部とを有し、床部と枠部がともに木材によって形成されたベッド本体を備えたペット用木製ベッドとして、ベッド本体の枠部を設けていない正面部に対して背面側の下部に位置する車輪を具備し、上記車輪はベッド本体の下端よりも上位に位置して、通常使用状態では実質的に接地せず、ベッド本体の正面部を持ち上げたときに接地して回転可能になるように、ベッド本体背面下部から露出する位置に配置するという手段を講じているものである（請求項３記載の考案）。
【００１１】
車輪は、上記背面側の下部に、例えば左右２個具備することが望ましい。また、車輪にはキャスター輪を使用することができるが、それに限られるわけではない。いずれのケースにおいても、本考案における車輪は通常使用中は接地せず、ベッド本体の正面部を持ち上げたときに接地して回転可能になるので、安定した使用状態を得ることができる。
【００１２】
この種のベッドでは予想外の荷重が掛かることもあり得るので、それに耐える構造を備えることも望まれる。その目的のために、本考案では、ベッド本体の下端に位置する部分として、左右の枠部の下端とほぼ同じ位置に配置される荷重受け部を枠部の下面に設けることができる。
【考案の効果】
【００１３】
本考案は以上のように構成されかつ作用するものであるから、飼い主にとっても、ペットにとっても快適に使用可能なペット用木製ベッドを提供することができるという効果を奏する。また、本考案によれば、車輪により移動が容易であるので、使用中の安定性と、移動の容易性を両立可能であり、敷板を逆Ｖ字状にしてペットが使用しているクッション、布団類を干すことができるので、衛生的に使用できるペット用木製ベッドを提供することができる。
【考案を実施するための最良の形態】
【００１４】
以下図示の実施形態を参照しながら、本考案のペット用木製ベッドについて、より詳細に説明する。図１は、本考案のペット用木製ベッド１０の一例を示すもので、図示のペット用木製ベッド１０は、ペットがその上で生活できるような大きさ及び形状に形成され、かつその体重を支えられるすの子状の床部と、その左右両側面及び背面を囲んで設けられた枠部によって形成されたベッド本体１１を有している。
【００１５】
図示のベッド本体１１において、床部は夫々複数個の横材と縦材を組み合わせてすの子状構造に形成されており、複数個の横材１２は同一平面を形成している。これに対し縦材は複数個の横材１２の上面の左右に位置する２個の部材１３、１４と、下面の中央に位置して荷重受け部となる１個の部材１５とを備えている（図２）。
【００１６】
これに対して枠部は左右の側板１６、１７と背面の部材１８によって構成され、左右の側板１６、１７に形成されている溝に横材１２の両端を嵌合し、また、左右の側板１６、１７の後端に部材１８を取り付けて、正面部１９の開いた立体構造に形成されている。
【００１７】
１５ａ、１６ａ、１７ａはベッド本体の下端を示しており、夫々中央の部材１５、左右の側板１６、１７の下端の通常使用中に接地する部分であり、これにより予想外の荷重に耐える構造と、安定した使用状態を得ている（図４参照）。また、２０は手掛け部を示しており、移動時に手を掛けるように左右の側板１６、１７の外面に夫々溝状に形成されている。
【００１８】
本考案のベッド１０はベッド本体１１の床部上に敷く敷板２１を備えている。上記敷板２１は板材を平板状に組み合わせたもので、その中央部にて左右の２部分２２、２３に分割するとともに、分割線部分にて折り曲げ可能にシート状のヒンジ２４により結合した構造を有している。図３の敷板２１はベッド本体１１の内側に収まる大きさと形状を有しており、両端下面に取り付けた桟木２５、２６は、前記床部の２個の部材１３、１４の外側に係合するように配置される（図２、図４Ｃ参照）。また、上記床部の２個の部材１３、１４の内側１３ａ、１４ａは逆Ｖ字状に折り曲げた敷板２１の両端を掛け止める係止部に利用される。
【００１９】
さらに本考案のベッドにおいては、ベッド本体１１は枠部を設けていない正面部１９に対して背面側の下部に位置する車輪２７を具備している。この車輪２７はベッド本体１１の下端１５ａ、１６ａ、１７ａよりも上位に位置して、通常使用状態では実質的に接地しないように設けられている。しかし、上記車輪２７はベッド本体１１の正面部１９の側を持ち上げたときに接地して回転可能になるように、ベッド本体背面下部から露出する位置に配置され、その露出を助けるために左右の側板１６、１７の下端には切欠き部２８が形成されている。
【００２０】
このように構成されているベッド本体１１及び敷板２１はすの子状構造を有し、全て木材、その中でもダニやノミの忌避効果を持つとされる檜材によって形成される。従って、檜材の他にはヒンジ２４の合成樹脂製シート材と、ステープルないし木ねじの金属材が使われているだけであるから、化学薬品や溶剤等とは無縁である。なお、図１に示されているクッション、布団類２９は、必要に応じて使用される。
【００２１】
よって本考案に係るペット用ベッド１０は図５Ａに示すように、ベッド本体１１に敷板２１を嵌め込んで、部屋の隅などの適当な場所に安置して使用する。使用中、ペット用ベッド１０はベッド本体１１の下端１５ａ、１６ａ、１７ａが床などに接地し、車輪は実質的に接地しないので、ペットが乗り降りする程度では動かず、安定した使用状態が得られる。ペットが敷いたクッション、布団類２９などを干すときには、敷板２１を逆Ｖ字状に折り曲げ、その両端を床部の２個の部材１３、１４の内側１３ａ、１４ａに掛け止め、敷板２１を布団干しとして使用することができる。本考案では、敷板２１を逆Ｖ字状に折り曲げることでふとん干しに使用できるので、クッション、布団類２９を常に清潔にしておくことが可能である。
【００２２】
本考案に係るペット用ベッド１０は木製特に檜製であり軽量であるから、手掛け部２０で支えて容易に運ぶこともできるが、大型で運びにくいときなどには、車輪２７を使用して自由に移動することができる。図６はその状態を示しているが、同図から理解されるように、通常時は接地しない車輪２７を、本体正面部１９を持ち上げることにより接地させることができるので、取扱いは大変容易である。また、ベッド全体を立てる必要がある場合には、床部の２個の部材１３、１４の後端１３ｂ、１４ｂが支えとなり、車輪２７が直に接地することはない（図６参照）。
【図面の簡単な説明】
【００２３】
【図１】本考案に係るペット用木製ベッドの一例を分解して示す斜視図。
【図２】同上のベッドを示すもので、Ａは正面図、Ｂは下面図。
【図３】同上のベッドの敷板の下面図。
【図４】同上のベッドを示すもので、Ａは側面図、Ｂは縦断面図、Ｃは横断面図。
【図５】同じく、Ａは使用状態を示す斜視図、Ｂは干し具とした状態を示す斜視図。
【図６】同じく、移動状態を示す説明図。
【符号の説明】
【００２４】
１０  ペット用木製ベッド
１１  ベッド本体
１２  横材
１３、１４  上面の部材
１５  下面の部材
１６、１７  左右の側板
１８  後端の部材
１９  正面部
２０  手掛け部
２１  敷板
２２、２３  左右の部分
２４  ヒンジ
２５、２６  桟木
２７  車輪
２８  切欠き部
２９  クッション、布団類
【図１】
0003136315.tif 000003
【図２】
0003136315.tif 000004
【図３】
0003136315.tif 000005
【図４】
0003136315.tif 000006
【図５】
0003136315.tif 000007
【図６】
0003136315.tif 000008
【手続補正書】
【提出日】平成19年8月21日(2007.8.21)
【手続補正１】
【補正対象書類名】実用新案登録請求の範囲
【補正対象項目名】全文
【補正方法】変更
【補正の内容】
【実用新案登録請求の範囲】
【請求項１】
ペットの体重を支える床部と、その周囲に設けられた枠部とを有し、床部と枠部がともに木材によって形成されたベッド本体を備えたペット用木製ベッドであって、
ベッド本体の床部上に敷く敷板を備え、上記敷板はその中央部にて２分割するとともに、分割線部分にて折り曲げ可能にヒンジにより結合した構造を有し、
ベッド本体の床部に間隔をあけて取り付けられている２個の部材に、逆Ｖ字状に折り曲げた敷板の両端を掛け止め、クッション、布団類を掛けて干せるように構成されたペット用木製ベッド。
【請求項２】
ベッド本体及び敷板はともに檜材からなる請求項１記載のペット用木製ベッド。
【請求項３】
ペットの体重を支える床部と、その周囲に設けられた枠部とを有し、床部と枠部がともに木材によって形成されたベッド本体を備えたペット用木製ベッドであって、
ベッド本体は枠部を設けていない正面部に対して背面側の下部に位置する車輪を具備し、上記車輪はベッド本体の下端よりも上位に位置して、通常使用状態では実質的に接地せず、ベッド本体の正面部を持ち上げたときに接地して回転可能になるように、ベッド本体背面下部から露出する位置に配置されている請求項１記載のペット用木製ベッド。